(57)【要約】【課題】  回転軸を介して回転ファンに伝播される駆動手段の振動を低減させ、回転ファンが回転駆動するときに発せられる騒音を低減させることが可能な回転ファンおよび送風装置を提供すること。【解決手段】  本発明に係る送風装置１の回転ファン９には、回転軸８ａを嵌入させるための貫通孔９ｅが形成されている。また、この貫通孔９ｅの内側面には、溝部９ｊが形成される。溝部９ｊによって、回転軸８ａの外表面と貫通孔９ｅの内表面との間に空間ができ、貫通孔９ｅと回転軸８ａとの当接面積が減少する。このように、当接面積が減少することによって、回転手段８の振動が、回転軸８ａを介して回転ファン９に伝播することを抑制することができる。【選択図】  図５
2007315692.tif 000002
【特許請求の範囲】
【請求項１】
回転軸を嵌入させるための貫通孔が形成され、
該貫通孔の内側面に溝部が形成されること
を特徴とする回転ファン。
【請求項２】
前記溝部は、前記貫通孔に複数形成されること
を特徴とする請求項１に記載の回転ファン。
【請求項３】
複数形成された前記溝部は、前記内側面において等間隔に設けられること
を特徴とする請求項２に記載の回転ファン。
【請求項４】
前記貫通孔は、Ｄ字状の断面開口形状を呈し、
前記溝部は、当該断面開口をなす前記貫通孔の内側面に形成されること
を特徴とする請求項１ないし請求項３のいずれか１項に記載の回転ファン。
【請求項５】
Ｄ字状を呈する前記断面開口の直線状縁部あって少なくとも一方の端部に切欠部が形成されることを特徴とする請求項４に記載の回転ファン。
【請求項６】
請求項１ないし請求項５のいずれか１項に記載の回転ファンと、
該回転ファンの前記貫通孔に嵌入する断面Ｄ字状の回転軸を有し、該回転軸を駆動回転させることにより前記回転ファンを回転させる駆動手段と
を備えることを特徴とする送風装置。
【発明の詳細な説明】
【技術分野】
【０００１】
本発明は、回転軸を嵌入させるための貫通孔が形成された回転ファン、およびその回転ファンと前記貫通孔に嵌入された前記回転軸を回転させるための駆動手段とを有する空調装置とに関する。
【背景技術】
【０００２】
一般的な建築物には、建物内の空調を行うために多くの送風装置が設置されている。特に近年では、居室を有する建物に２４時間換気システムを設置することが義務づけられたことから、浴室空調装置等を室内換気用の送風装置として利用することが多くなっている。
【０００３】
屋内換気用の送風装置には、一般的にシロッコファン等の多翼ファンが用いられている。シロッコファンは、周縁部に複数の翼が配設された円盤状のファンを回転させることによって、回転中心から周方向へと空気を吸入・排出させる構造となっている。シロッコファンを使用した送風装置は、その構造から設備の厚み（高さ）を低くすることができるため、装置本体をコンパクトに設計することが容易である。このため、シロッコファンを用いた送風装置は、設置スペースが限られる浴室天井等に設置しやすく、浴室空調装置等において最も多く用いられる構成となっている（例えば、特許文献１参照）。
【０００４】
シロッコファンは、ファンモータの回転軸に固定されており、この回転軸が回転することによってシロッコファンが回転する構造となっている。
【特許文献１】特開２００４−３４０４０７号公報（第４−６頁、第１図）
【発明の開示】
【発明が解決しようとする課題】
【０００５】
しかしながら、ファンモータにより回転軸を回転駆動させてシロッコファンを回転させる場合、ファンモータの振動によって発生する異音が回転軸を伝わってシロッコファンに伝播してしまい、騒音となって送風装置より発せられてしまうおそれがあった。
【０００６】
本発明は、上記問題に鑑みてなされたものであり、回転軸を介して回転ファンに伝播される駆動手段の振動を低減させ、回転ファンが回転駆動するときに発せられる騒音を低減させることが可能な回転ファンおよび送風装置を提供することを課題とする。
【課題を解決するための手段】
【０００７】
上記課題を解決するために、本発明に係る回転ファンは、回転軸を嵌入させるための貫通孔が形成され、該貫通孔の内側面に溝部が形成されることを特徴とする。
【０００８】
このように、貫通孔の内側面に溝部を形成することにより、溝部によって回転軸の外表面と貫通孔の内表面との間に空間ができ、貫通孔と回転軸との当接面積が減少する。このように、当接面積が減少することによって、回転手段の振動が回転軸を介して回転ファンに伝播することを抑制することができ、回転ファンにおける騒音の発生を低減させることが可能となる。
【０００９】
また、前記溝部は、前記貫通孔に複数形成されるものであってもよい。
【００１０】
溝部を貫通孔の内側面に複数形成することによって、貫通孔と回転軸との当接面積をより減少させることができるので、回転ファンにおける騒音の発生をより一層低減させることが可能となる。
【００１１】
さらに、複数形成された前記溝部は、前記内側面において等間隔に設けられるものであってもよい。
【００１２】
溝部を貫通孔の内側面において等間隔に設けることによって、回転軸の外周面における貫通孔の内側面との接触バランスが均等となりやすいので、回転ファンを回転させる場合における回転ファンの回転ブレを低減することが可能となる。また、回転軸における貫通孔との接触バランスが均等になることによって、回転軸の回転力を均等に回転ファンに伝達させやすくなるので、回転ファンの回転時における駆動効率のロスを低減させることが容易となる。
【００１３】
また、前記貫通孔は、Ｄ字状の断面開口形状を呈し、前記溝部は、当該断面開口をなす前記貫通孔の内側面に形成されるものであってもよい。
【００１４】
このように、貫通孔の断面開口がＤ字状に形状されることにより、断面Ｄ字状の回転軸を貫通孔に嵌入することが可能となる。回転軸が貫通孔に嵌入された場合には、Ｄ字状の断面開口の直線状縁部と回転軸の平側面部とが互いに当接することとなり、この当接面によって回転ファンを確実に回転させることが可能となる。
【００１５】
さらに、Ｄ字状を呈する前記断面開口の直線状縁部あって少なくとも一方の端部に切欠部が形成されるものであってもよい。
【００１６】
このように、断面開口の直線状縁部において少なくとも一方の端部、より好ましくは、回転軸の回転に伴い圧力が加えられる直線状縁部の端部に切欠部が形成されることによって、断面Ｄ字状に形成される回転軸が回転しようとする場合に、回転軸の鋭角部が切欠部のスペースによって開口部の縁部に圧接することがない。この場合、回転軸の平側面が、切欠部の一部の端点で圧接することとなるが、この圧接面積は、従来の貫通孔における圧接面積よりも少ない面積となるため、圧接面を介して回転軸の振動が回転ファンに伝播する割合を低減させることが可能となる。
【００１７】
また、本発明に係る送風装置は、上述した回転ファンと、該回転ファンの前記貫通孔に嵌入する断面Ｄ字状の回転軸を有し、該回転軸を駆動回転させることにより前記回転ファンを回転させる駆動手段とを備えることを特徴とする。
【００１８】
上述した回転ファンを用いて送風装置を構成することによって、溝部によって貫通孔と回転軸との当接面積を減少させることができ、回転軸を伝わる回転手段の振動が回転ファンへと伝播することを抑制することができる。さらに、溝部を貫通孔の内側面に複数形成することによって、貫通孔と回転軸との当接面積をより減少させることができるので、より一層、振動が回転ファンへと伝播することを抑制することができる。
【００１９】
また、貫通孔の内側面に溝部を等間隔に設けることによって、回転軸の外周面における貫通孔の内側面との接触バランスが均等となりやすくなり、回転ファンを回転させる場合における回転ファンの回転ブレを低減することが可能となる。さらに、回転軸における貫通孔との接触バランスが均等となることによって、回転軸の回転力を均等に回転ファンに伝達させやすくなるので、回転ファンの回転時における駆動効率のロスを低減させることが容易となる。
【発明の効果】
【００２０】
本発明に係る回転ファンおよび送風装置によれば、溝部によって貫通孔と回転軸との当接面積を減少させることができるので、回転軸を伝わる回転手段の振動が回転ファンへと伝播することを抑制することが可能となり、送風装置より発せられる騒音を低減させることが可能となる。
【発明を実施するための最良の形態】
【００２１】
以下、本発明に係る送風装置を浴室空調装置として使用する場合について説明を行う。
【００２２】
図１は、浴室空調装置を示した斜視図であり、図２は、浴室空調装置を示す側方断面図である。浴室空調装置１は、ファンユニット２と、本体ケース３と、ダンパー４と、ファンカバー５と、ヒータ６と、フロントパネル７とを有している。
【００２３】
ファンユニット２は、ファンモータ（駆動手段）８とシロッコファン（回転ファン）９とを有している。ファンモータ８は、シロッコファン９の上方に設置されており、ファンモータの下面には、図３に示すように、シロッコファン９を回転駆動させるための回転軸８ａが垂設されている。
【００２４】
回転軸８ａは、円柱形状を呈しており、その基部（ファンモータ８側）には、シロッコファン９を基部側より支えるための支持部材８ｂが設けられている。また、回転軸８ａの端部には、軸の側部が削られてＤ字状の断面形状を有するＤカット部８ｃが形成され、Ｄカット部８ｃの先端には袋ナット１０が螺合されるねじ溝部８ｄが形成されている。
【００２５】
シロッコファン９は、図４に示すように、円盤状の基盤９ａの周縁部に複数の翼９ｂが配設されたものであり、基盤９ａの中心にはファンモータ８の回転軸８ａが貫通する貫通孔９ｅが形成されている。シロッコファン９の貫通孔９ｅには、図５（ａ）（ｂ）に示すように、断面開口形状がＤ字状に形成された断面開口に対して内壁面に複数の溝部９ｊが設けられた開口部９ｆが形成されている。
【００２６】
Ｄ字状の断面開口は、貫通孔９ｅに回転軸８ａが挿入された場合にＤカット部８ｃが嵌合する断面形状となっている。溝部９ｊは、Ｄ字状の断面開口の湾曲面側に５カ所設けられており、各溝部９ｊは、貫通孔９ｅの延設方向に向かって互いに一定の間隔を保つようにして等間隔に設けられている。
【００２７】
また、貫通孔９ｅの開口部９ｆには、開口部９ｆの直線状縁部９ｇの両端に、Ｄカット部８ｃの鋭角部８ｅ（８ｅ１、８ｅ２）に対向するようにして凹状の切欠部９ｈ（９ｈ１、９ｈ２）が形成されている。切欠部９ｈは、貫通孔９ｅの延設方向に伸びるようにして、直線状縁部９ｇに溝状に形成される。
【００２８】
シロッコファン９の基盤９ａには、図４に示すように、貫通孔９ｅを中心する同心円上の位置に複数の帯状孔９ｋが形成されている。この帯状孔９ｋは、貫通孔９ｅからの距離に応じて三重に設けられており、一の帯状孔９ｋの端部が中心側又は外周側に位置する他の帯状孔９ｋの端部と重なるようにして、千鳥状に配設されている。
【００２９】
本体ケース３は、下方に解放された開口を有す箱体であり、図６に示すように、ファンユニット２を設置するためのファン収納部１２と、送風部としてダンパー４を収納するためのダンパー収納部１３とが形成されている。
【００３０】
ダンパー収納部１３は、ダンパー４を回動自在に収納することが可能な凹所であり、ダンパー収納部１３の下方にはヒータ６が設置されると共に、後述する吹出口１５が形成され、ダンパー収納部１３の側壁には、屋外に空気を排気するための排気口１６が形成されている。
【００３１】
ここで、ダンパー４は平面視略長方形状を呈し、図２に示すように側方視で中央部が凸状となる緩やかな湾曲形状を有している。ダンパー４の下端部には軸４ａが形成されており、この軸４ａの両端はダンパー収納部１３の側壁に回動自在に軸支される。また、ダンパー４の下面にはリブ４ｂが形成されており、このリブ４ｂには浴室空調装置１の運転モードに応じて回動されるカム１８の突起部１９を案内するガイド孔４ｃが形成されている。カム１８が回動するとその回動角度に応じて突起部１９の停止位置が変化してダンパー４の回動角度の調整が行われる。
【００３２】
ファン収納部１２は、シロッコファン９の直径よりも拡径の略円柱状凹所であり、ファンモータ８を本体ケース３の上面部に設置し、ファン収納部１２の中心に形成される開口１２ａより回転軸８ａを突出させた状態でシロッコファン９をファン収納部１２に収納することによって、シロッコファン９の基盤９ａ中心を回動軸８ａの先端に固定する構造となっている。
【００３３】
具体的には、ファン収納部１２の開口１２ａよりファンモータ８の回転軸８ａを突出させ、図３に示すように、中間層としてゴム等で形成された弾性層１７ａを有し、上下より円盤状の金属プレート１７ｂが挟み込まれたワッシャ１７を回転軸８ａに挿通させ、その次にシロッコファン９が挿通される。この場合、ワッシャ１７の一端面に支持部材８ｂが当接されるので、シロッコファン９は回転軸８ａの基部側への移動が規制される。また、上述したように、貫通孔９ｅの開口部９ｆはＤ字状に形成されているので、回転軸８ａのＤカット部８ｃが貫通孔９ｅのＤ字状の断面開口によって規制された状態となる。
【００３４】
その後、もう１つワッシャ１７を挿通させ、回転軸８ａの端部に形成されたねじ溝部８ｄに袋ナット１０を螺合させることによって、シロッコファン９が、上下に位置するワッシャ１７により挟まれた状態で支持部材８ｂと袋ナット１０とにより回転軸８ａに固定される。
【００３５】
なお、回転軸８ａのＤカット部８ｃが、貫通孔９ｅのＤ字状の断面開口に嵌入されているので、袋ナット１０を締める場合には、シロッコファン９を押さえることにより回転軸８ａの回転を規制することができる。このようにしてシロッコファン９が回転軸８ａに固定された場合、貫通孔９ｅにおけるＤ字開口の直線状縁部９ｇあって、袋ナット１０によりトルクが加えられる部分の端部周辺が、回転軸８ａのＤカット部８ｃの平側面部８ｆの端面に圧接された状態となりやすいが、図５（ｂ）に示すように、開口部９ｆにおける直線状縁部９ｇの両端には、Ｄカット部８ｃの鋭角部８ｅに対向するようにして凹状の切欠部９ｈが形成されているため、回転軸８ａが回転しようとする方向側の鋭角部８ｅ１は、回転軸８ａの回転に伴い圧力が加えられる直線状縁部９ｇの端部に形成された切欠部９ｈ１の凹状スペースによって開口部９ｆの縁部に圧接することがない。この場合、Ｄカット部８ｃの平側面部８ｆは、切欠部９ｈ１の端点９ｉに圧接することとなるが、この圧接面積は、従来の貫通孔における圧接面積よりも少ない面積となる。
【００３６】
ファン収納部１２の側壁面１２ｂとシロッコファン９の外周側９ｃとの間には、図７に示すように、吸入された空気を通すための狭通路２０が、シロッコファン９の外周側９ｃに沿って反時計回りに約３／４周程度延設されている。さらに、狭通路２０は、狭通路２０を通る空気をダンパー収納部１３へと導く拡通路２１に連通されている。
【００３７】
拡通路２１は、狭通路２０からダンパー収納部１３へと進むに従って通路幅が拡幅されており、通路の一の側壁２１ａはファン収納部１２の側壁面１２ｂから排気口１６へと延設される側壁により形成され、他の側壁２１ｂは、シロッコファン９の外周側９ｄと、狭通路２０とダンパー収納部１３との境界を形成する舌状壁部２２の側壁２２ａとにより形成されている。
【００３８】
ファンカバー５は、図１、図２に示すように、本体ケース３の下面を覆うようにして設置される。ファンカバー５には、シロッコファン９の中心部へ空気を導くための吸入孔５ａと、ダンパー収納部１３へと運ばれてきた空気を屋内へ循環させるための吹出孔５ｂとが形成されている。吸入孔５ａはシロッコファン９の基盤９ａ正面を臨むようにして形成された円形状の開口であり、吹出孔５ｂはダンパー収納部１３を臨むようにして形成される略四角形状の開口である。このファンカバー５が本体ケース３の下面に設置されることにより、狭通路２０と拡通路２１との下面がファンカバー５により構成されることとなる。
【００３９】
ファンカバー５の吹出孔５ｂには、ヒータ６が設置されている。ヒータ６には、ＰＴＣヒータが用いられており、図示を省略するセンサーにより暖められた空気の温度を計測することによってヒータ６のＯＮ／ＯＦＦ制御が行われる。
【００４０】
ファンカバー５が設置された本体ケース３の下面には、フロントパネル７が設置されている。フロントパネル７には、ファンカバー５の吸入孔５ａに対応する位置に吸入口３０が形成され、さらにファンカバー５の吹出孔５ｂに対応する位置に吹出口１５が形成されている。吸入口３０には、埃の吸入を防止するためのフィルタが着脱可能に取り付けられている。浴室空調装置１は、本体ケース３を天井裏方向に突出させるようにして天井面３３に固定され、フロントパネル７だけを浴室の天井面３３に露呈させた状態で浴室に設置される。
【００４１】
次に、このようにして構成される浴室空調装置１が稼働する場合について説明する。
【００４２】
浴室空調装置１を動作させる場合、ユーザーは浴室の脱衣所等に設置される操作パネル４０（図８参照）を操作することによって運転モードの選択を行う。具体的には、浴室の暖房を行う暖房モード、浴室の換気を行う換気モード、浴室内に設置されたランドリーパイプに衣類等を吊して衣類等の乾燥を行う乾燥モード、浴室に涼風を導き入れて夏などに浴室空調装置を扇風機のように使用する涼風モードを選択する。さらに２４時間換気（居室空間を２時間で１回の割合で換気する）を行う必要がある建物では、図示しない２４時間換気モードスイッチが押され、浴室空調装置１の運転モードが選択されていない場合に２４時間換気モードの運転が行われる。
【００４３】
ユーザーにより運転モードの選択が行われると、図８に示すように、選択された運転モード情報が浴室空調装置１に設置される制御部４１に伝達される。制御部４１では、選択された運転モードに応じてカム駆動用モータ４２を駆動させてカム１８の回動角度を制御し、ダンパー４の回動位置を全開、半開、全閉のいずれかに調整する。さらに制御部４１は、選択された運転モードに応じて、ファンユニット２のファンモータ８を駆動させてシロッコファン９の回転速度を強、弱のいずれかに調整するとともに、ヒータ６のＯＮ／ＯＦＦ制御を行う。
【００４４】
なお、ダンパー４の回動位置が全閉の状態とは、図２に示すように、排気口１６を塞ぐ位置にダンパー４を回動させて狭通路２０、拡通路２１を通って流れてくる空気を吹出口１５へと導く状態（図２の矢印Ａから矢印Ｂに示す空気の流れ参照）を意味し、全開の状態とは、図９（ａ）に示すように、吹出口１５を塞ぐ位置にダンパー４を回動させて狭通路２０、拡通路２１を通って流れてくる空気を排気口１６へと導く状態（図９（ａ）の矢印Ａから矢印Ｃに示す空気の流れ参照）を意味し、半開の状態とは、狭通路２０、拡通路２１を通って流れてくる空気を、吹出口１５と排気口１６との両方に導くために、ダンパー４を図９（ｂ）に示す中間位置に回動させた状態（図９（ｂ）の矢印Ａから矢印Ｂおよび矢印Ａから矢印Ｃに示す空気の流れ参照）を意味する。
【００４５】
次に、浴室空調装置１の稼働動作を運転モード毎に分けて説明する。
【００４６】
＜暖房モードの場合＞
ユーザーにより暖房モードの設定が行われると、制御部４１は、図２に示すように、ダンパー４を全閉位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内へと吸入される。
【００４７】
シロッコファン９が回転する場合、貫通孔９ｅの内側面に溝部９ｊが複数形成されているため、溝部９ｊが形成されていないシロッコファン９に比べて回転軸８ａと貫通軸４ａの内側面との当接面積が少なくなる。このように当接面積が減少するため、回転軸８ａを介してファンモータ８の振動がシロッコファン９に伝播する割合を低減させることが可能となる。
【００４８】
また、溝部９ｊが等間隔を保って複数設けられているので、溝部９ｊが設けられていない場合に比べて貫通孔９ｅ周縁部の強度が低くなりやすい。このため、回転軸８ａの外側面と貫通孔９ｅの内側面との当接部を介してシロッコファン９に伝播される振動は、貫通孔９ｅ周縁近傍において減衰されやすくなり、外周方向へと伝播される振動を低減させることが可能となる。
【００４９】
さらに、複数の溝部９ｊが、互いに一定の間隔を保つようにして等間隔に設けられているので、回転軸８ａの外周面における貫通孔９ｅの内側面との接触バランスが均等となりやすくなり、シロッコファン９の回転ブレを低減させることが可能となる。また、回転軸８ａと貫通孔９ｅとの接触バランスが均等となることによって、回転軸８ａの回転力を均等にシロッコファン９に伝達させやすくなるので、シロッコファン９の回転時における駆動効率のロスを低減させることが可能となる。
【００５０】
また、シロッコファン９が回転する場合、貫通孔９ｅにおけるＤ字開口の直線状縁部９ｇであって、回転軸８ａが回転する方向側の端部周辺に、回転軸８ａ回転に伴うトルクが加えられて、Ｄカット部８ｃにおける平側面部８ｆの端面と貫通孔９ｅにおけるＤ字開口の直線状縁部９ｇの端部とが圧接された状態となりやすい。しかしながら、開口部９ｆにおける直線状縁部９ｇの両端には、図５（ａ）（ｂ）に示すように、Ｄカット部８ｃの鋭角部８ｅに対向するようにして凹状の切欠部９ｈが形成されているため、回転軸８ａが回転しようとする方向側の鋭角部８ｅ１は、回転軸８ａの回転に伴い圧力が加えられる直線状縁部９ｇの端部に形成された切欠部９ｈ１の凹状スペースによって開口部９ｆの縁部に圧接することがない。
【００５１】
この場合、上述したように、Ｄカット部８ｃの平側面部８ｆは、切欠部９ｈ１の端点９ｉに圧接することとなるが、この圧接面積は、従来の貫通孔における圧接面積よりも少ない面積となるため、圧接面を介して回転軸８ａの振動がシロッコファン９に伝播する割合を低減させることが可能となる。
【００５２】
シロッコファン９の貫通孔９ｅの当接面を介して伝播されたファンモータ８の振動は、ファンモータ８の基盤９ａを介して外周縁に形成される翼９ｂへと伝わっていく。しかしながら、基盤９ａには複数の帯状孔９ｋが形成されており、さらに帯状孔９ｋは、一の帯状孔９ｋの端部が中心側又は外周側に位置する他の帯状孔９ｋの端部と重なるようにして、千鳥状に配設されている。
【００５３】
このため、貫通孔９ｅより基盤９ａの外周側へと伝播される振動は、帯状孔９ｋにより阻まれることとなり、千鳥状に配設された帯状孔９ｋをジグザグに進むようにして伝播することとなる（図４において符号Ｄで示す鎖線参照）。このように帯状孔９ｋが千鳥状に配設されることにより、外周側へと伝播される振動を低減させることができるとともに、振動がジグザグに伝播させることとなるため貫通孔９ｅから翼９ｂまでの伝達距離が長くなり、振動を減衰させやすくなる。
【００５４】
さらに、帯状孔９ｋを設けることによって、シロッコファン９の基盤９ａにおける剛性が低下するので、シロッコファン９において発生する騒音のピーク周波数を低い周波数へとシフトすることが可能となる。このため、ファンモータ８において発生する騒音のピーク周波数とシロッコファン９において発生する騒音のピーク周波数とをずらすことによって、互いの振動が共振しないようにし、空調装置全体として発生する騒音を低減させることが可能となる。
【００５５】
特に、ファンモータ８の騒音のピーク周波数は、ファンモータ８の出力性能等により決定され、騒音のピーク周波数を意図的にシフトすることが困難である。このため、帯状孔９ｋを設けることによってシロッコファン９における騒音のピーク周波数をシフトさせることにより、効果的に浴室空調装置の騒音を低減させることが可能となる。
【００５６】
一般に、ファンモータ８の動作に伴って発生する振動は電源周波数の倍数の周波数で顕著な騒音を発生する。ＡＢＳ樹脂（アクリロニトリル、ブタジエン、スチレンからなる熱可塑性樹脂）により形成されたシロッコファン９において、上述した溝部９ｊ、切欠部９ｈ、帯状孔９ｋが形成されていないファンの浴室空調装置と、溝部９ｊ、切欠部９ｈ、帯状孔９ｋが形成されているファンの浴室空調装置１の騒音量を、騒音が顕著となる２００Ｈｚにおいて比較した場合、溝部９ｊ、切欠部９ｈ、帯状孔９ｋとが形成されるファンの方が形成されていないファンよりも、約２／３程度低い騒音値を示した。この騒音値の低減量はシロッコファン９の素材の違い（例えばＡＢＳ樹脂ではなくＰＰ樹脂（ポリプロピレン樹脂）等を用いた場合）や、ファンモータ８の駆動力の違い等に応じて異なるものであるが、溝部９ｊ、切欠部９ｈを設けたファンの方が、溝部９ｊ、切欠部９ｈが設けられていないファンよりも騒音値が低減される傾向を示した。
【００５７】
また、シロッコファン９の上下に設けられたワッシャ１７には、中間に弾性層１７ａが形成されているため、この弾性層１７ａにより回転軸８ａを介して伝播される振動が減衰され、シロッコファン９に伝わる騒音をより一層低減させることが可能となる。
【００５８】
吸入口３０より吸入された空気は、シロッコファン９の翼９ｂの間を通り、狭通路２０、拡通路２１を介してダンパー収納部１３へと導かれる。ダンパー収納部１３へと導かれた空気は、ダンパー４の下面側の凹状湾曲面に沿ってヒータ６へと流れて行き、ヒータ６で加熱された後に吹出口１５を介して浴室内に循環される。
【００５９】
＜換気モードおよび２４時間換気の場合＞
ユーザーにより換気モードの設定が行われると、制御部４１は、図９（ａ）に示すように、ダンパー４を全開位置に回動させるとともに、シロッコファン９の回転速度を強に設定し、ヒータ６をＯＦＦにする。シロッコファン９の回転速度が強に設定されると、シロッコファン９の回転に伴って吸入口３０より浴室内の空気が本体ケース３内に吸入される。
【００６０】
シロッコファン９が回転する場合、貫通孔９ｅの内側面に溝部９ｊが複数形成されているため、溝部９ｊが形成されていないシロッコファン９に比べて回転軸８ａと貫通軸４ａの内側面との当接面積が少なくなる。このように当接面積が減少するため、回転軸８ａを介してファンモータ８の振動がシロッコファン９に伝播する割合を低減させることが可能となる。
【００６１】
また、溝部９ｊが等間隔を保って複数設けられているので、溝部９ｊが設けられていない場合に比べて貫通孔９ｅ周縁部の強度が低くなりやすい。このため、回転軸８ａの外側面と貫通孔９ｅの内側面との当接部を介してシロッコファン９に伝播された振動は、貫通孔９ｅ周縁近傍において減衰されやすくなり、シロッコファン９における外周方向への振動を低減させることが可能となる。
【００６２】
さらに、複数の溝部９ｊが、互いに一定の間隔を保つようにして等間隔に設けられているので、回転軸８ａの外周面における貫通孔９ｅの内側面との接触バランスが均等となりやすくなり、シロッコファン９の回転ブレを低減させることが可能となる。また、回転軸８ａと貫通孔９ｅとの接触バランスが均等になることによって、回転軸８ａの回転力を均等にシロッコファン９に伝達させやすくなるので、シロッコファン９の回転時における駆動効率のロスを低減させることが可能となる。
【００６３】
また、シロッコファン９が回転する場合、貫通孔９ｅにおけるＤ字開口の直線状縁部９ｇであって、回転軸８ａが回転する方向側の端部周辺には、上述したようにＤカット部８ｃの鋭角部８ｅに対向するようにして凹状の切欠部９ｈが形成されているため、Ｄカット部８ｃにおける平側面部８ｆの端面が切欠部９ｈ１の端点９ｉに圧接する面積を、従来の貫通孔における圧接面積よりも少なくすることができる。このため、圧接面を介して回転軸８ａの振動がシロッコファン９に伝播する割合を低減させることが可能となる。
【００６４】
また、シロッコファン９の基盤９ａには、一の帯状孔９ｋの端部が中心側又は外周側に位置する他の帯状孔９ｋの端部と重なるようにして、複数の帯状孔９ｋが千鳥状に配設されているので、シロッコファン９の外周側へと伝播されるファンモータ８の振動を低減させることができるとともに、ジグザグに振動を伝播させることにより、振動を減衰させやすくなる。
【００６５】
さらに、帯状孔９ｋを設けることによって、シロッコファン９の基盤９ａにおける剛性を低下させることができるので、シロッコファン９により発生する騒音のピーク周波数を低い周波数へとシフトすることが可能となり、空調装置全体として発生する騒音を低減させることが可能となる。
【００６６】
また、シロッコファン９の上下に設けられたワッシャ１７には、中間に弾性層１７ａが形成されているため、この弾性層１７ａにより回転軸８ａを介して伝播される振動が減衰され、シロッコファン９に伝わる騒音をより一層低減させることが可能となる。
【００６７】
吸入口３０より吸入された空気は、シロッコファン９の翼９ｂの間を通り、狭通路２０、拡通路２１を介してダンパー収納部１３に導かれる。
【００６８】
ダンパー収納部１３へと流れてきた空気は、そのまま排気口１６へと流れて行き、排気口１６に連結される排気管によって屋外または他の部屋等に排出される。
【００６９】
なお、２４時間換気を行う場合、制御部４１は、ダンパー４を全開位置に回動させるとともに、シロッコファン９の回転速度を弱に設定し、ヒータ６をＯＦＦにする。２４時間換気モードでは、本体ケース３内に導入される空気の風速が弱くなり、必要に応じて断続的又は連続的にシロッコファン９が駆動されるという違いはあるが、上述した換気モードと同様の経路を経て空気が吸入・排出されることとなる。
【００７０】
２４時間換気の場合には、深夜にもファンユニット２が稼働するので、シロッコファン９に溝部９ｊ、切欠部９ｈ、帯状孔９ｋを形成して回転軸８ａを介して伝播するファンモータの振動を低減させることによって、顕著な騒音低減効果を確保しつつ屋内の換気を行うことが可能となる。特に、２４時間換気等により断続的又は連続的にシロッコファン９が回転する浴室空調装置１においては、溝部９ｊの形成に伴う騒音の低減はより効果的なものとなる。
【００７１】
＜乾燥モードおよび涼風モードの場合＞
ユーザーにより乾燥モードの設定が行われると、制御部４１は、図９（ｂ）に示すように、ダンパー４を半開位置に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内に吸入される。
【００７２】
シロッコファン９が回転する場合、貫通孔９ｅの内側面に溝部９ｊが複数形成されているため、溝部９ｊが形成されていないシロッコファン９に比べて回転軸８ａと貫通軸４ａの内側面との当接面積が少なくなる。このように当接面積が減少するため、回転軸８ａを介してファンモータ８の振動がシロッコファン９に伝播する割合を低減させることが可能となる。
【００７３】
また、溝部９ｊが等間隔を保って複数設けられているので、溝部９ｊが設けられていない場合に比べて貫通孔９ｅ周縁部の強度が低くなりやすい。このため、回転軸８ａの外側面と貫通孔９ｅの内側面との当接部を介してシロッコファン９に伝播された振動は、貫通孔９ｅ周縁近傍において減衰されやすくなり、シロッコファン９における外周方向への振動を低減させることが可能となる。
【００７４】
さらに、複数の溝部９ｊが、互いに一定の間隔を保つようにして等間隔に設けられているので、回転軸８ａの外周面における貫通孔９ｅの内側面との接触バランスが均等となりやすくなり、シロッコファン９の回転ブレを低減させることが可能となる。また、回転軸８ａと貫通孔９ｅとの接触バランスが均等になることによって、回転軸８ａの回転力を均等にシロッコファン９に伝達させやすくなるので、シロッコファン９の回転時における駆動効率のロスを低減させることが可能となる。
【００７５】
また、シロッコファン９が回転する場合、貫通孔９ｅにおけるＤ字開口の直線状縁部９ｇであって、回転軸８ａが回転する方向側の端部周辺には、上述したようにＤカット部８ｃの鋭角部８ｅに対向するようにして凹状の切欠部９ｈが形成されているため、Ｄカット部８ｃにおける平側面部８ｆの端面が切欠部９ｈ１の端点９ｉに圧接する面積を、従来の貫通孔における圧接面積よりも少なくすることができる。このため、圧接面を介して回転軸８ａの振動がシロッコファン９に伝播する割合を低減させることが可能となる。
【００７６】
また、シロッコファン９の基盤９ａには、一の帯状孔９ｋの端部が中心側又は外周側に位置する他の帯状孔９ｋの端部と重なるようにして、複数の帯状孔９ｋが千鳥状に配設されているので、シロッコファン９の外周側へと伝播されるファンモータ８の振動を低減させることができるとともに、ジグザグに振動を伝播させることにより、振動を減衰させやすくなる。
【００７７】
さらに、帯状孔９ｋを設けることによって、シロッコファン９の基盤９ａにおける剛性を低下させることができるので、シロッコファン９により発生する騒音のピーク周波数を低い周波数へとシフトすることが可能となり、空調装置全体として発生する騒音を低減させることが可能となる。
【００７８】
また、シロッコファン９の上下に設けられたワッシャ１７には、中間に弾性層１７ａが形成されているため、この弾性層１７ａにより回転軸８ａを介して伝播される振動が減衰され、シロッコファン９に伝わる騒音をより一層低減させることが可能となる。
【００７９】
吸入口３０より吸入された空気は、シロッコファン９の翼９ｂの間を通り、狭通路２０、拡通路２１を介してダンパー収納部１３に導かれる。
【００８０】
ダンパー収納部１３へと流れてきた空気は、半開位置に回動されたダンパー４により、一部の空気は排気口１６を介して屋外等へ排出され、他の空気は吹出口１５を介して浴室へと循環される。
【００８１】
なお、ユーザーにより涼風モードが選択された場合には、制御部４１が、図９（ｂ）に示すように、ダンパー４を半開位置に回動させるとともに、シロッコファン９の回転速度を強に設定し、ヒータ６をＯＦＦにする。このように涼風モードにおいても、上述した乾燥モードと同様の経路を経て空気が吸入・排出されることとなる。このため、上述した乾燥モードと同様に、シロッコファン９に溝部９ｊ、切欠部９ｈ、帯状孔９ｋを形成し、回転軸８ａを介して伝播するファンモータ８の振動を低減させることにより、顕著な騒音低減効果を奏すること可能となる。
【００８２】
以上説明したように、本発明に係る浴室空調装置１では、貫通孔９ｅの内側面に溝部９ｊが形成されているので、溝部９ｊにより回転軸８ａの外表面と貫通孔９ｅの内表面との一部に空間ができ、貫通孔９ｅと回転軸８ａとの当接面積が減少する。このように、当接面積が減少することによって、ファンモータ８の振動が回転軸８ａを介してシロッコファン９に伝播することを抑制することができ、シロッコファン９における騒音の発生を低減させることが可能となる。
【００８３】
また、貫通孔９ｅには、複数の溝部９ｊが形成されているので、貫通孔９ｅと回転軸８ａとの当接面積をより減少させることができ、シロッコファン９における騒音の発生をより一層低減させることが可能となる。
【００８４】
さらに、複数形成された溝部９ｊは、貫通孔９ｅの内側面に等間隔に設けられているので、回転軸８ａの外周面における貫通孔９ｅの内側面との接触バランスが均等となりやすく、シロッコファン９の回転ブレを低減させることが可能となる。また、回転軸８ａにおける貫通孔９ｅとの接触バランスが均等になることによって、回転軸８ａの回転力を均等にシロッコファン９に伝達させやすくなるので、シロッコファン９の回転時における駆動効率のロスを低減させることが容易となる。
【００８５】
また、貫通孔９ｅの断面開口がＤ字状に形状されることにより、断面Ｄ字状の回転軸８ａを貫通孔９ｅに嵌入することが可能となる。回転軸８ａが貫通孔９ｅに嵌入された場合には、Ｄ字状の断面開口の直線状縁部と回転軸８ａの平側面部とが互いに当接することとなり、この当接面によってシロッコファン９を確実に回転させることが可能となる。
【００８６】
さらに、シロッコファン９が回転する場合、貫通孔９ｅにおけるＤ字開口の直線状縁部９ｇであって、回転軸８ａが回転する方向側の端部周辺には、上述したようにＤカット部８ｃの鋭角部８ｅに対向するようにして凹状の切欠部９ｈが形成されているため、Ｄカット部８ｃにおける平側面部８ｆの端面が、切欠部９ｈ１の端点９ｉに圧接する面積を従来の貫通孔における圧接面積よりも少なくすることができる。このため、圧接面を介して回転軸８ａの振動がシロッコファン９に伝播する割合を低減させることが可能となる。
【００８７】
また、シロッコファン９の基盤９ａには、一の帯状孔９ｋの端部が中心側又は外周側に位置する他の帯状孔９ｋの端部と重なるようにして、複数の帯状孔９ｋが千鳥状に配設されているので、シロッコファン９の外周側へと伝播されるファンモータ８の振動を低減させることができるとともに、ジグザグに振動を伝播させることにより、振動を減衰させやすくなる。
【００８８】
さらに、帯状孔９ｋを設けることによって、シロッコファン９の基盤９ａにおける剛性を低下させることができるので、シロッコファン９により発生する騒音のピーク周波数を低い周波数へとシフトすることが可能となり、空調装置全体として発生する騒音を低減させることが可能となる。
【００８９】
以上、本発明に係る送風装置を浴室空調装置１として使用する実施形態を、運転モード毎に場合分けをして説明したが、本発明に係る送風装置は上述した実施形態に限定されるものではない。いわゆる当業者であれば、特許請求の範囲に記載された範疇内において各種の変更例または修正例に想到しうることは明らかであり、それらについても当然に本発明の技術的範囲に属するものと了解される。
【００９０】
例えば、上述した実施形態では、溝部９ｊが、貫通孔９ｅの内側面であって貫通孔９ｅ延設方向に向けて形成されるものとしたが、溝部９ｊの形成方向は必ずしも貫通孔９ｅの延設方向に限定されるものではなく、延設方向に対して斜めとなるものであってもよい。溝部９ｊが、どの方向に対して形成されるものであっても、溝部９ｊの形成により、貫通孔９ｅと回転軸８ａとの当接面積を減少させることができるので、回転軸８ａを介してシロッコファン９に伝播されるファンモータ８の振動を低減さえることが可能となる。
【００９１】
さらに、溝部を、図１０（ａ）に示すように、貫通孔９ｅの内周方向に形成してもよい。シロッコファン９の基盤９ａとの連結部分に水平となるよう溝部９ｊ１を形成することによって、貫通孔９ｅと回転軸８ａとの当接面積を少なくすることができるので、基盤９ａの外周側へと伝播される振動量を低減させることが可能となる。
【００９２】
また、図１０（ｂ）に示すように、基盤９ａの表裏面に対しての貫通孔９ｅを囲むボス９ｌを形成し、貫通孔９ｅと回転軸８ａとの当接面がボス９ｌ部分のみとなるように溝部９ｊ２を形成してもよい。このように溝部９ｊ２を形成することによって、当接面を介して伝播される振動がボス９ｌを介して基盤９ａへと伝達されることとなり、振動がボス９ｌ側から基盤９ａ側へと回り込むようにして伝達されることとなるので（図１０（Ｂ）において符号Ｅで示す鎖線参照）、振動の伝達距離が長くなり、振動を減衰させることが可能となる。さらに、基盤９ａがボス９ｌ部分を介して回転軸８ａに取り付けられることとなるので、基盤９ａとボス９ｌ部分との取り付け強度が低下し、この取り付け部分を介して伝播される振動がより低減されることとなる。
【００９３】
また、上述した実施形態においては、溝部９ｊを、Ｄ字状の断面開口の湾曲面側に５カ所設けることとしたが、この設置個数および設置場所は限定されるものではない。例えば、図１１に示すように、４つの溝部９ｊ３を、貫通孔９ｅに対して十字を描くようにして均等に設置してもよい。さらに、ボス９ｌ部分において、溝をボス９ｌの外側まで貫通させてスリット状に切り欠く構造としてもよい。
【００９４】
また、上述した実施形態では、切欠部９ｈ（９ｈ１、９ｈ２）が開口部９ｆにおける直線状縁部９ｇの両端に形成される構成を説明したが、切欠部９ｈは必ずしも両端に形成されている必要はなく、少なくとも一方の端部に、より好ましくは回転軸８ａの回転に伴い圧力が加えられる直線状縁部９ｇの端部に設けられていればよい。
【００９５】
さらに、上述した実施形態では、シロッコファン９がファンモータ８とともにユニット化されたファンユニット２を用いた場合について説明を行ったが、ファンは必ずしもユニット化されたものに限定されるものではなく、ファン、モータ等が別体に構成されるものであってもよい。また、実施形態では、送風用のファンとしてシロッコファンを用いた場合について説明を行ったが、ファンは必ずしもシロッコファンに限定されるものではなく、ラジアルファンのような多翼ファンを用いるものであってもよい。
【００９６】
さらに、上記実施形態では、１台のファンユニットを用いて空気の換気（循環）と排気とを行う空調装置を説明したが、換気用のファンユニットと排気用のファンユニットとの両方を備えた送風装置であっても、本発明に係る送風装置の構成を適用することによって、同様の効果を奏することが可能である。
【００９７】
また、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【００９８】
【図１】実施形態に係る浴室空調装置を示す斜視図である。
【図２】全閉の状態にダンパーが回動された浴室空調装置を示す側方断面図である。
【図３】実施形態に係るファンユニットの構成を示した展開図である。
【図４】実施形態に係るシロッコファンを示した正面図である。
【図５】シロッコファンの貫通孔に回転軸が嵌合した状態を示した貫通孔の拡大図である。
【図６】実施形態に係る本体ケースを下側開口方向より示した斜視図である。
【図７】実施形態に係る本体ケースを示した底面図である。
【図８】実施形態に係る浴室空調装置の制御機能を示したブロック図である。
【図９】全開の状態にダンパーが回動された浴室空調装置と半開の状態にダンパーが回動された浴室空調装置とを示す側方断面図である。
【図１０】溝部が貫通孔の内周面において周方向に向けて形成されたシロッコファンを示した断面図である。
【図１１】溝部を貫通孔に対して十字を描くように４カ所設置したシロッコファンの正面図と、その貫通孔を示した拡大図である。
【符号の説明】
【００９９】
１     …浴室空調装置
２     …ファンユニット
３     …本体ケース
４     …ダンパー
４ａ   …（ダンパーの）軸
４ｂ   …（ダンパーの）リブ
４ｃ   …（リブの）ガイド孔
５     …ファンカバー
５ａ   …（ファンカバーの）吸入孔
５ｂ   …（ファンカバーの）吹出孔
６     …ヒータ
７     …フロントパネル
８     …ファンモータ（駆動手段）
８ａ   …（ファンモータの）回転軸
８ｂ   …（回転軸の）支持部材
８ｃ   …（回転軸の）Ｄカット部
８ｄ   …（回転軸の）ねじ溝部
８ｅ、８ｅ１、８ｅ２   …（Ｄカット部の）鋭角部
８ｆ   …（Ｄカット部の）平側面部
９、９‘     …シロッコファン（回転ファン）
９ａ   …（シロッコファンの）基盤
９ｂ   …（シロッコファンの）翼
９ｃ   …（シロッコファンの）外周側
９ｄ   …（拡通路の側壁を構成するシロッコファンの）外周側
９ｅ   …（シロッコファンの）貫通孔
９ｆ   …（貫通孔の）開口部
９ｇ   …（開口部の）直線状縁部
９ｈ、９ｈ１、９ｈ２   …（貫通孔の）切欠部
９ｉ   …（切欠部の）端点
９ｊ、９ｊ１、９ｊ２、９ｊ３   …（貫通孔の）溝部
９ｋ   …帯状孔
９ｌ   …（シロッコファンの）ボス
９ｍ   …（ボスに形成される）スリット状
１０   …袋ナット
１２   …ファン収納部
１２ａ  …（ファン収納部の）開口
１２ｂ  …（ファン収納部の）側壁面
１３   …ダンパー収納部
１５   …吹出口（排出口）
１６   …排気口（排出口）
１７   …ワッシャ（介在部材）
１７ａ  …（ワッシャの）弾性層
１７ｂ  …（ワッシャの）金属プレート
１８   …カム
１９   …（カムの）突起部
２０   …狭通路
２１   …拡通路
２１ａ  …（拡通路の）一の側壁
２１ｂ  …（拡通路の）他の側壁
２２   …舌状壁部
２２ａ  …（舌状壁部の）側壁
３０   …吸入口（吸気口）
３３   …天井面
４０   …操作パネル
４１   …制御部
４２   …カム駆動用モータ
【図１】
2007315692.tif 000003
【図２】
2007315692.tif 000004
【図３】
2007315692.tif 000005
【図４】
2007315692.tif 000006
【図５】
2007315692.tif 000007
【図６】
2007315692.tif 000008
【図７】
2007315692.tif 000009
【図８】
2007315692.tif 000010
【図９】
2007315692.tif 000011
【図１０】
2007315692.tif 000012
【図１１】
2007315692.tif 000013